(57)【特許請求の範囲】
【請求項１】
被記録媒体が送られる経路を形成する経路形成部材と、
前記経路の送り方向に前記被記録媒体を搬送する搬送手段と、
前記経路を送り方向に搬送されている前記被記録媒体の部分のうち、前記経路形成部材から露出している部分である露出部分にインク
を吐出して記録する記録ヘッドが設けられ、前記被記録媒体の送り方向に交差する方向に移動するキャリッジと、
前記キャリッジから延出して前記キャリッジの移動に追従して変形する変形部を有する可撓性部材と、
前記キャリッジの動作に伴う前記変形部の移動とは異なる移動を行わせる手段であって、前記変形部が占有する空間から、前記変形部が退避する方向に前記変形部を移動させる退避手段と、
を備えることを特徴とする記録装置。
【請求項２】
被記録媒体が送られる経路を形成する経路形成部材と、
前記経路の送り方向に前記被記録媒体を搬送する搬送手段と、
前記経路を送り方向に搬送されている前記被記録媒体の部分のうち、前記経路形成部材から露出している部分である露出部分にインクを吐出して記録する記録ヘッドが設けられ、前記被記録媒体の送り方向に交差する方向に移動するキャリッジと、
前記キャリッジから延出して前記キャリッジの移動に追従して変形する変形部を有する可撓性部材と、
前記キャリッジの動作に伴う前記変形部の変形または移動とは異なる変形または移動を行わせる手段であって、装置の内部にユーザーが手を差し入れて作業を行う際のユーザー作業領域から、前記変形部が退避する方向に前記変形部を変形または移動させる退避手段と、
を備えることを特徴とする記録装置。
【請求項３】
請求項１または請求項２に記載の記録装置において、前記退避手段は、前記記録装置の内部にアクセスする為の開閉可能なカバーの開放動作に連動して前記変形部を退避させることを特徴とする記録装置。
【請求項４】
請求項３に記載の記録装置において、前記退避手段は、その一端側が前記カバーに接続され、他端側において前記可撓性部材を支持するとともに当該他端が当該可撓性部材の変形に応じて変位可能な支持部材で構成されることを特徴とする記録装置。
【請求項５】
請求項１から請求項４のいずれか１項に記載の記録装置において、前記可撓性部材は、前記インクを前記記録ヘッドに供給するためのインク供給チューブであることを特徴とする記録装置。
【請求項６】
請求項１から請求項４のいずれか１項に記載の記録装置において、前記可撓性部材は、前記インクを吐出するための電気的な信号を伝送するための電線であることを特徴とする記録装置。
【請求項７】
請求項１から請求項６のいずれか一項に記載の記録装置において、前記変形部は、前記被記録媒体における前記露出部分の上方に位置する、
ことを特徴とする記録装置。
【発明の詳細な説明】
【技術分野】
【０００１】
本発明は記録装置に関し、特に、被記録媒体に記録する記録装置に関する。  
記録装置には、インクジェットプリンター、複写機、ファクシミリ等の装置が含まれる。
【背景技術】
【０００２】
印字ヘッド（記録ヘッド）を用紙幅方向に往復運動させ印字を行うプリンターにおいて、インクヘッドへの信号線や、オフキャリッジ方式のインクジェットプリンターではインク供給用チューブが、印字ヘッドを搭載したキャリッジに接続されている。インクヘッドへの信号線またインク供給用チューブは、キャリッジの往復動作によりその位置や形状を変化させる。
【０００３】
ところで従来、プリンターにはジャム検知時にギャップ調整モーターを利用してキャリッジを紙から離間させる方向に移動させた後、主走査モーターによってジャム発生前のキャリッジの移動方向と反対へキャリッジを移動させ、ユーザーへジャム処理を要求するようにしているものがある。（例えば、特許文献１参照）。
【先行技術文献】
【特許文献】
【０００４】
【特許文献１】特開２００９−１６６３７０号公報
【発明の概要】
【発明が解決しようとする課題】
【０００５】
しかしながら、紙詰まり解除時に、インク供給チューブが紙詰まりの生じた領域に残っており、インク供給チューブが邪魔になる恐れがある。  
すなわち、ジャム（紙詰まり）等のエラーによりキャリッジが停止する位置によっては、ユーザーのエラー復帰操作を妨げる位置に信号線やインク供給チューブが存在する場合があり、詰まった紙を取り除く作業の邪魔になる。
【０００６】
また、この場合、ユーザーは手で信号線やインク供給チューブに直接触れて、これを紙詰まりの生じた領域から退避させる必要がある。これにより、信号線や供給チューブの緩みや、最悪の場合抜け、破損に至る可能性がある。
【０００７】
本発明は、このような状況に鑑みてなされたものであり、経路内から被記録媒体を取り除くユーザー作業を行う際、キャリッジに接続された信号線やインク供給チューブなどがその妨げになってしまうことを考慮した記録装置を提供することである。
【課題を解決するための手段】
【０００８】
本発明の第１の態様の記録装置は、被記録媒体が送られる経路を形成する経路形成部材と、前記経路の送り方向に前記被記録媒体を搬送する搬送手段と、前記経路を送り方向に搬送されている前記被記録媒体の部分のうち、前記経路形成部材から露出している部分である露出部分にインクを吐出して記録する記録ヘッドが設けられ、前記被記録媒体の送り方向に交差する方向に移動するキャリッジと、前記キャリッジから延出して前記キャリッジの移動に追従して変形する可撓性部材と、前記可撓性部材が占有する空間から、前記可撓性部材が退避する方向に前記可撓性部材を移動させる退避手段とを備えることを特徴とする。
【０００９】
本態様によれば、可撓性部材が占有する空間から退避する方向に可撓性部材を移動させる退避手段を備えるので、装置内部にユーザーが手を差し入れて作業を行う必要が生じた場合に可撓性部材が退避することで、当該可撓性部材がユーザー作業の妨げにならず、またユーザーの手が可撓性部材に触れることを防止できる。
【００１０】
従って、可撓性部材にインクが付着していた場合に、該付着していたインクによって手または衣服が汚れる虞がない。また、可撓性部材としてのインク供給チューブや信号線が破損してしまう虞がない。またさらに、インク供給チューブや信号線がキャリッジの接続部から抜けてしまう虞がない。尚、可撓性部材が占有する空間とは、可撓性部材を退避させる前に可撓性部材が占有する空間を意味する。
【００１１】
また、可撓性部材を退避させる方向は、ユーザー作業の内容や装置構成に基づいて、適宜設定し得る事項である。また、可撓性部材としては、インク供給チューブやフラットケーブル（平型電線ともいう）などの信号線を挙げることができる。
【００１２】
本発明の第２の態様の記録装置は、被記録媒体が送られる経路を形成する経路形成部材と、前記経路の送り方向に前記被記録媒体を搬送する搬送手段と、前記経路を送り方向に搬送されている前記被記録媒体の部分のうち、前記経路形成部材から露出している部分である露出部分にインクを吐出して記録する記録ヘッドが設けられ、前記被記録媒体の送り方向に交差する方向に移動するキャリッジと、前記キャリッジから延出して前記キャリッジの移動に追従して変形する可撓性部材と、前記記録装置の内部にユーザーが手を差し入れて作業を行う際のユーザー作業領域から、前記可撓性部材が退避する方向に前記可撓性部材を変形または移動させる退避手段とを備えることを特徴とする。
【００１３】
本態様によれば記録装置の内部にユーザーが手を差し入れて作業を行う必要が生じた場合、例えば、経路に被記録媒体が詰まる所謂、ジャムが生じた場合に、退避手段によって可撓性部材がユーザー作業領域から退避する方向に変形または移動するので、可撓性部材がユーザー作業の妨げにならず、またユーザーの手が可撓性部材に触れることを防止できる。
【００１４】
従って、可撓性部材にインクが付着していた場合に、該付着していたインクによって手または衣服が汚れる虞がない。また、可撓性部材としてのインク供給チューブや信号線が破損してしまう虞がない。またさらに、インク供給チューブや信号線がキャリッジの接続部から抜けてしまう虞がない。  
尚、本明細書において「ユーザー」とは、エンドユーザーに限られず、記録装置の組立作業或いはアフターメンテナンスを行う人など、記録装置を扱う全ての人を意味するものである。
【００１５】
本発明の第３の態様は、第１のまたは第２の態様において、退避手段は、前記記録装置の内部にアクセスする為の開閉可能なカバーの開放動作に連動して可撓性部材を変形または移動させることを特徴とする。  
本態様によれば、第１のまたは第２の態様と同様の作用効果に加え、カバーを開放すると、可撓性部材が変形または移動するので、面倒な操作を必要とせずに被記録媒体を除去することができ、より確実にユーザーの手が可撓性部材に触れることを防止することができる。
【００１６】
本発明の第４の態様は、第３の態様において、前記退避手段は、その一端側が前記カバーに接続され、他端側において前記可撓性部材を支持するとともに当該他端が当該可撓性部材の変形に応じて変位可能な支持部材で構成されることを特徴とする。  
本態様によれば、第２の態様と同様の作用効果に加え、可撓性部材を支持する部分が変位可能であることから、可撓性部材に加わる応力をより小さくすることができ、これより、インク供給チューブや信号線が破損してしまう可能性をより小さくすることができる。
【００１７】
本発明の第５の態様は、第１の態様から第４の態様のいずれか一の態様において、可撓性部材は、インクを記録ヘッドに供給するためのインク供給チューブであることを特徴とする。  
本態様によれば、第１の態様から第４の態様と同様の作用効果に加え、インク供給チューブの破損によるインクの飛び散りを防止することができる。
【００１８】
本発明の第６の態様は、第１の態様から第４の態様のいずれか一の態様において、可撓性部材は、インクを吐出するための電気的な信号を伝送するための電線であることを特徴とする。  
本態様によれば、第１の態様から第４の態様と同様の作用効果に加え、電線の破損による記録ができなくなってしまうことを防止できる。
【図面の簡単な説明】
【００１９】
【図１】プリンター複合機の外観を示す前方斜視図である。
【図２】プリンター複合機の内部の概略を示す側断面図である。
【図３】プリンター複合機の内部の概略を示す斜視図である。
【図４】フロントカバーが閉じられているプリンター複合機の内部の概略を示す平面図である。
【図５】フロントカバーが開かれているプリンター複合機の内部の概略を示す平面図である。
【図６】フロントカバーが閉じられているプリンター複合機のフロントカバー、インク供給チューブ、ヘッド信号線、ロッド、クリップ、およびホルダの状態を示す図である。
【図７】フロントカバーが開かれているプリンター複合機のフロントカバー、インク供給チューブ、ヘッド信号線、ロッド、クリップ、およびホルダの状態を示す図である。
【図８】キャリッジが本体の左側に位置し、フロントカバーが閉じられているプリンター複合機のロッド、クリップ、およびホルダを示す平面図である。
【図９】キャリッジが本体の左側に位置し、フロントカバーが閉じられているプリンター複合機のロッド、クリップ、およびホルダを示す斜視図である。
【図１０】キャリッジが本体の左側に位置し、フロントカバーが開かれているプリンター複合機のロッド、クリップ、およびホルダを示す平面図である。
【図１１】キャリッジが本体の左側に位置し、フロントカバーが開かれているプリンター複合機のロッド、クリップ、およびホルダを示す斜視図である。
【発明を実施するための形態】
【００２０】
以下、本発明の実施の形態を図面に基づいて説明する。  
図１は、本発明の実施の形態のプリンター複合機１の外観を示す前方斜視図である。図２は、本実施例のプリンター複合機１の内部の概略を示す側断面図である。図３は、プリンター複合機１の内部の概略を示す斜視図である。
【００２１】
プリンター複合機１は、記録装置の一例であり、印刷装置、複写機、およびファクシミリ装置の機能を有し、被記録媒体の一例である用紙Ｐ（後述する）に記録する。プリンター複合機１は、本体１１と媒体搬送部１２とを備えている。本体１１は、記録および読み取りの機能を有する。媒体搬送部１２は、写真や文書等の情報が記録されている用紙Ｓを、本体１１によって用紙Ｓに記録されている情報が読み取りできるように搬送する。
【００２２】
本体１１は、ケース２１、フロントカバー２２、スキャナー２３、操作部２４、載置部２５、搬送部２６、送り経路形成部２７、反転経路形成部２８、記録部２９、排出部３０、フレーム３１、およびスタッカー３２を備える。なお、プリンター複合機１の側面のうち、フロントカバー２２、操作部２４、およびスタッカー３２が設けられている側がプリンター複合機１の前側、すなわち、正面である。また、プリンター複合機１の側面のうち、媒体搬送部１２が設けられている側がプリンター複合機１の上側、すなわち、上面である。  
媒体搬送部１２は、載置部３３およびスタッカー３４を備える。
【００２３】
なお、プリンター複合機１に対して前後の方向をＹ軸で図示し、上下の方向をＺ軸で図示し、左右の方向をＸ軸で図示する。また、以下、Ｘ軸方向のうち、図１中の左側を単に左側と称し、Ｘ軸方向のうち、図１中の右側を単に右側と称する。さらに、以下、Ｙ軸方向のうち、図１中の手前側を単に前側と称し、Ｙ軸方向のうち、図１中の奥側を単に後側と称する。さらにまた、以下、Ｚ軸方向のうち、図１中の上側を単に上側と称し、Ｚ軸方向のうち、図１中の下側を単に下側と称する。
【００２４】
ケース２１は、本体１１の筐体であり、スキャナー２３、搬送部２６、送り経路形成部２７、反転経路形成部２８、記録部２９、排出部３０、およびスタッカー３２などを格納する。フロントカバー２２は、本体１１の前側（正面）に設けられている。フロントカバー２２は、一対のヒンジ５１によってケース２１に回動自在に支えられることで、ケース２１に開閉可能に取り付けられている。
【００２５】
言い換えると、フロントカバー２２は、一対のヒンジ５１を中心にフロントカバー２２の上側の端部が前方へ倒れることで、開くように構成されている。フロントカバー２２を開くことにより、本体１１の前面に開口部が形成され、ユーザーが本体１１の内部を操作することができるようになる。例えば、紙詰まりの場合など、ユーザーは、フロントカバー２２を開き、本体１１の内部から詰まった紙を取り出すことができる。
【００２６】
スキャナー２３は、本体１１の上側に設けられ、用紙Ｓに記録されている写真や文書等の情報を読み取る。例えば、媒体搬送部１２によって、用紙Ｓが送られた場合、スキャナー２３は、用紙Ｓに記録されている情報を読み取る。
【００２７】
操作部２４は、プリンター複合機１の状態に関する情報を表示すると共に、ユーザーからの指示を取得する。操作部２４は、表示部５２およびボタン５３を備える。表示部５２は、LCD(Liquid Crystal Display)、有機EL(Electro-Luminescence)表示パネル、またはLED(Light Emitting Diode)などのランプ等からなり、プリンター複合機１の状態に関する情報を表示する。
【００２８】
ボタン５３は、ユーザーによって押圧された場合、所定の信号を図示せぬ制御部に出力し、これによりユーザーの指示を取得する。すなわち、ユーザーは、表示部５２によってプリンター複合機１の状態を確認し、所望のボタン５３に押圧する操作を加えることにより、プリンター複合機１の設定条件の変更や、各種実行指示をすることができる。
【００２９】
載置部２５は、被記録媒体の一例である用紙Ｐを載置することができるように構成されている。載置部２５は、ペーパーサポート５４およびホッパー５５からなる。ペーパーサポート５４は、載置されている用紙Ｐを支える。ホッパー５５は、その下側が搬送部２６から離反したり搬送部２６に近接したりすることで、載置部２５に載置されている用紙Ｐを搬送部２６に供給しないで保持したり、用紙Ｐを搬送部２６に供給したりする。
【００３０】
なお、被記録媒体の一例である用紙Ｐは、本体１１の下方に着脱可能に設けられたカセット５６にも格納され、プリンター複合機１は、載置部２５の用紙Ｐまたはカセット５６の用紙Ｐのいずれかを選択して記録できる。
【００３１】
搬送部２６は、搬送手段の一例であり、載置部２５に載置された用紙Ｐまたはカセット５６に格納された用紙Ｐを、送り経路形成部２７によって形成される送り経路を介して、記録する場合の方向である送り方向に記録部２９に搬送する。送り経路形成部２７は、経路形成部材の一例であり、各種のプラスチック材料や金属製の案内部材などによって構成される。送り経路形成部２７は、用紙Ｐが送られる送り経路であって、載置部２５またはカセット５６から記録部２９を介してスタッカー３２までの送り経路を形成する。なお、図２中において黒い矢印は、送り経路を示す。
【００３２】
搬送部２６は、ローラー５７、ローラー５８、ローラー５９、アーム６０、およびローラー対６１からなる。ローラー５７、ローラー５８、ローラー５９、アーム６０、およびローラー対６１は、図示せぬモーター、ギア、またはベルトなどからなる駆動部によって駆動される。
【００３３】
ローラー５７は、駆動部によって図２中の時計方向に回転させられ、ホッパー５５の下方が近接すると、載置部２５に載置されている用紙Ｐのうち、最も上側に載置されている用紙Ｐの下方の端部と接触し、これにより、送り経路を介して、用紙Ｐを下側に搬送することで、送り経路下流側のローラー５８に送る。  
ローラー５８は、駆動部によって図２中の反時計方向に回転させられ、ローラー５７から送り経路を介して搬送されてきた用紙Ｐをローラー対６１に送る。
【００３４】
ローラー５９は、カセット５６に格納されている用紙Ｐに対して接離移動可能なアーム６０の自由端に設けられ、駆動部によって図２中の反時計方向に回転させられる。アーム６０が用紙Ｐに接する側に移動すると、ローラー５９は、カセット５６に格納されている用紙Ｐのうち、最も上側に格納されている用紙Ｐの奥側の端部と接触し、送り経路を介して、用紙Ｐを上側に搬送することで、送り経路下流側のローラー５８に送る。この場合、ローラー５８は、ローラー５９によって送り経路を介して搬送されてきた用紙Ｐをローラー対６１に送る。
【００３５】
ローラー対６１は、相対する一対のローラーからなり、駆動部によって上側のローラーが図２中の時計方向に、下側のローラーが図２中の反時計方向に回転させられ、用紙Ｐを挟持して、ローラー５８から送り経路を介して搬送されてきた用紙Ｐを記録部２９および排出部３０に送る。
【００３６】
記録部２９は、送り経路を介してローラー対６１によって搬送されてきた用紙Ｐにインクを吐出して記録する。すなわち、記録部２９は、送り経路を介して搬送されてきた用紙Ｐの部分のうち、送り経路形成部２７から露出している部分にインクを吐出して記録する。より詳細には、記録部２９は、用紙Ｐの用紙幅で往復運動し、印字または描画を行う。
【００３７】
また、反転経路形成部２８は、各種のプラスチック材料や金属製の案内部材などによって構成され、用紙Ｐの裏表を反転させるための経路である反転経路を形成する。なお、図２中において白抜きの矢印は、反転経路を示す。両面記録モードの場合、用紙Ｐの一方の面（表面）に対しての記録された後に、駆動部によってローラー対６１およびローラー対６２（後述する）が逆回転させられ、用紙Ｐは、反転経路を介して、ローラー５８の下側の２つのローラーに送られる。すなわち、用紙Ｐは、ローラー５８の下側から上側へ回り込んで再びローラー対６１へ送られる。
【００３８】
これによって、用紙Ｐの面のうち、既に記録された用紙Ｐの面（表面）が媒体支持部６５側となり、用紙Ｐの他方の面（裏面）が記録ヘッド６４側となる。そして、ローラー５８から送られ、駆動部によって正転させられたローラー対６１によって送り経路に送られた用紙Ｐの裏面(このとき裏面には、まだ記録されていない)に、記録部２９は、インクを吐出して記録する。
【００３９】
記録部２９は、キャリッジ６３、記録ヘッド６４、および媒体支持部６５を含む。キャリッジ６３は、記録部２９が記録を実行する場合、一例として図示しないモーターの動力によってＸ軸方向、すなわち用紙Ｐの幅方向に延設された図示しないガイド部材にガイドされながら移動する。記録ヘッド６４は、キャリッジ６３における用紙Ｐと対向する側に設けられている。記録ヘッド６４の面のうち、用紙Ｐと対向する面には、インクを吐出するノズル（図示せず）が形成されている。媒体支持部６５は、記録ヘッド６４と対向する位置に設けられており、用紙Ｐと記録ヘッド６４との間の距離を所定の長さに保つ。
【００４０】
言い換えれば、キャリッジ６３には、送り経路を送り方向に搬送されている用紙Ｐの部分のうち、送り経路形成部２７から露出している部分である露出部分にインクを吐出して記録する記録ヘッド６４が設けられ、キャリッジ６３は、用紙Ｐの送り方向に直交する方向に移動する。
【００４１】
また、インクを格納するインクカートリッジ６６からキャリッジ６３にインクを供給するためのインク供給チューブ６７が設けられている。キャリッジ６３とは別にインクカートリッジ６６を設けることにより、インクカートリッジ６６により多くのインクを格納することができる。
【００４２】
インク供給チューブ６７は、可撓性部材の一例であり、樹脂製のチューブなどで形成され、キャリッジ６３からから延出してキャリッジ６３の移動に追従して変形する。さらに、インクを吐出するための電気的な信号を伝送するためのヘッド信号線６８が設けられている。ヘッド信号線６８は、可撓性部材の一例であり、１または複数の電線からなる配線ケーブルまたはワイヤーハーネスなどであり、キャリッジ６３からから延出してキャリッジ６３の移動に追従して変形する。
【００４３】
インク供給チューブ６７およびヘッド信号線６８の一端は、キャリッジ６３の前側に設けられたコネクタ６９によってキャリッジ６３に接続されている。インク供給チューブ６７の他端は、インクカートリッジ６６からインクが供給されるコネクタ７０に接続されている。コネクタ７０は、本体１１の内部であって、インクカートリッジ６６の左側に設けられている。
【００４４】
すなわち、コネクタ７０からコネクタ６９までのインク供給チューブ６７の配置を説明すると、コネクタ７０が本体１１の左側奥に設けられているので、コネクタ７０から延出するインク供給チューブ６７は、本体１１の左側の側面の内側に沿うように本体１１の前面まで延びる。さらに、インク供給チューブ６７は、ケース２１の前面の全部または一部の内側を左側から右側に横方向に横断するように延びる。そしてさらに、インク供給チューブ６７は、右側から左側に湾曲するように弧（弦が左側となる弧）を描き、右側からコネクタ６９に接続される。
【００４５】
また、ヘッド信号線６８の他端は、図示せぬ制御部と電気的に接続されているコネクタ７１に接続されている。コネクタ７１は、インクカートリッジ６６の左側であって、コネクタ７０の前側に設けられている。
【００４６】
すなわち、コネクタ７１からコネクタ６９までのヘッド信号線６８の配置を説明すると、コネクタ７１が本体１１の左側略中央に設けられているので、コネクタ７１から延出するヘッド信号線６８は、インク供給チューブ６７と共に、本体１１の左側の側面の内側に沿うように本体１１の前面まで延びる。さらに、ヘッド信号線６８は、インク供給チューブ６７と共に、ケース２１の前面の全部または一部の内側を左側から右側に横方向に横断するように延びる。そして、ヘッド信号線６８は、インク供給チューブ６７と共に、右側から左側に湾曲するように弧を描き、右側からコネクタ６９に接続される。
【００４７】
排出部３０は、記録部２９によって記録された用紙Ｐをスタッカー３２に排出する。排出部３０は、ローラー対６２を有している。ローラー対６２は、相対する一対のローラーからなり、駆動部によって上側のローラーが図２中の時計方向に、下側のローラーが図２中の反時計方向に回転させられ、用紙Ｐを挟持して、ローラー対６１から送り経路を介して搬送され、記録部２９によって記録された用紙Ｐをスタッカー３２に送る。
【００４８】
尚、フレーム３１は、ローラー対６２のうち図中上側のローラーを支持するフレームであって、このフレーム３１の上流側と下流側では、用紙搬送経路が露呈する様になっている。  
スタッカー３２は、伸縮自在に設けられ、記録された用紙Ｐを載置する。
【００４９】
次に、媒体搬送部１２の載置部３３は、写真や文書等の情報が記録されている用紙Ｓが載置され、用紙Ｓを保持する。媒体搬送部１２の図示せぬ搬送部は、本体１１のスキャナー２３によって用紙Ｓに記録されている情報が読み取りできるように用紙Ｓを搬送し、情報が読み取られた用紙Ｓは、スタッカー３４に載置される。スタッカー３４は、読み取り後の用紙Ｓを保持する。
【００５０】
次に、図４〜図１１を参照して、送り経路において用紙Ｐが詰まった場合、送り経路形成部２７から露出している露出部分から用紙Ｐを取り出すことで詰まった用紙Ｐを送り経路から除去するための作業が行われるユーザー作業領域から退避する方向のインク供給チューブ６７およびヘッド信号線６８の変形または移動について説明する。
【００５１】
図４は、フロントカバー２２が閉じられているプリンター複合機１の内部の概略を示す平面図である。図５は、フロントカバー２２が開かれているプリンター複合機１の内部の概略を示す平面図である。
【００５２】
図４および図５において、領域Ａは、送り経路において用紙Ｐが詰まった場合、送り経路形成部２７から露出している露出部分から取り出すことで詰まった用紙Ｐを送り経路から除去するための作業(以下、除去作業と称する)がユーザーによって行われるユーザー作業領域を示す。
【００５３】
また、図４および図５において、キャリッジ６３が本体１１の左側に位置している場合のキャリッジ６３、記録ヘッド６４、コネクタ６９、インク供給チューブ６７、およびヘッド信号線６８は、実線で示され、キャリッジ６３が本体１１の右側に位置している場合のキャリッジ６３、記録ヘッド６４、コネクタ６９、インク供給チューブ６７、およびヘッド信号線６８は、点線で示されている。
【００５４】
キャリッジ６３が本体１１の左側に位置している場合、インク供給チューブ６７およびヘッド信号線６８の部分のうち、ケース２１の内側の前側に配置される部分は、ケース２１の内側の前側ほぼ中央に弧が描かれるように撓み、略Ｕ字状に曲げられる。この場合、Ｕ字を形成するインク供給チューブ６７およびヘッド信号線６８の部分のうち、コネクタ６９側のＵ字の半分の直線部分および湾曲部分が領域Ａに懸かることになる。
【００５５】
一方、キャリッジ６３が本体１１の右側に位置している場合、インク供給チューブ６７およびヘッド信号線６８の部分のうち、ケース２１の内側の前側に配置される部分は、ケース２１の前側の内側に沿うように延び、ケース２１の内側の前側の右側に弧が描かれるように撓み、略Ｊ字状に曲げられる。この場合、インク供給チューブ６７およびヘッド信号線６８は、領域Ａに懸からない。
【００５６】
インク供給チューブ６７およびヘッド信号線６８は、退避手段の一例である、ロッド７２、クリップ７３、およびホルダ７４によって、フロントカバー２２に繋がれている。ロッド７２は、金属または樹脂などにより棒状に形成されている。ロッド７２の一端は、クリップ７３に止められている。ロッド７２の他端は、ホルダ７４に止められている。
【００５７】
クリップ７３は、樹脂または金属などにより形成され、インク供給チューブ６７およびヘッド信号線６８を支持する。キャリッジ６３が移動するとインク供給チューブ６７およびヘッド信号線６８は変形する。これに対応して、クリップ７３は、キャリッジ６３の移動に追従してインク供給チューブ６７およびヘッド信号線６８の支持位置を変位可能に支持する。
【００５８】
ホルダ７４は、樹脂または金属などにより形成され、フロントカバー２２の内側の上側に止められている。ホルダ７４は、キャリッジ６３の往復運動の阻害とならないよう、インク供給チューブ６７およびヘッド信号線６８の動作にあわせて左右に（Ｘ軸方向に）自由に首を振る構造となっている。
【００５９】
図５に示されるように、キャリッジ６３が本体１１の左側に位置している場合、フロントカバー２２が開かれると、ロッド７２、クリップ７３、およびホルダ７４によってインク供給チューブ６７およびヘッド信号線６８が前方に引っ張られるので、インク供給チューブ６７およびヘッド信号線６８は、除去作業が行われる領域Ａから退避する方向に変形または移動させられる。
【００６０】
図６は、フロントカバー２２が閉じられているプリンター複合機１のフロントカバー２２、インク供給チューブ６７、ヘッド信号線６８、ロッド７２、クリップ７３、およびホルダ７４の状態を示す図である。図７は、フロントカバー２２が開かれているプリンター複合機１のフロントカバー２２、インク供給チューブ６７、ヘッド信号線６８、ロッド７２、クリップ７３、およびホルダ７４の状態を示す図である。
【００６１】
図６に示されるように、クリップ７３によるインク供給チューブ６７およびヘッド信号線６８の支持位置が変位可能とされているので、フロントカバー２２が閉じられている状態において、キャリッジ６３の移動によるインク供給チューブ６７およびヘッド信号線６８の変形が妨げられない。従って、記録を行う際のキャリッジ６３の移動に影響を与えることがなく、確実に記録が行われる。
【００６２】
図７に示されるように、矢印Ｂのように、一対のヒンジ５１によってケース２１に回動自在に支えられているフロントカバー２２が開かれると、フロントカバー２２の内側の上側に止められているホルダ７４によって、ロッド７２がプリンター複合機１の前方向に移動させられる。これにより、矢印Ｃに示されるように、インク供給チューブ６７およびヘッド信号線６８を支持するクリップ７３がプリンター複合機１の前方向に移動することで、インク供給チューブ６７およびヘッド信号線６８が前方向に移動し、領域Ａの外に出される。
【００６３】
このように、インク供給チューブ６７またはヘッド信号線６８が、キャリッジ６３から延出してキャリッジ６３の移動に追従して変形する構成において、ロッド７２、クリップ７３、およびホルダ７４は、送り経路から用紙を除去するための作業が行われる領域Ａから退避する方向にインク供給チューブ６７またはヘッド信号線６８を変形または移動させる。
【００６４】
エラーなどによりキャリッジが左側付近で停止した場合、インク供給チューブ６７またはヘッド信号線６８は除去作業が行われる領域に侵入する。このとき、従来、ユーザーはインク供給チューブ６７またはヘッド信号線を退避させてエラー処理を実施しなければならなかった。キャリッジを退避させる際、インク供給チューブ６７またはヘッド信号線６８がエラー処理の邪魔になり、インク供給チューブ６７またはヘッド信号線を破損させてしまう恐れがあった。
【００６５】
これに対して、プリンター複合機１においては、キャリッジ６３が左側付近で停止した場合でも、フロントカバー２２にリンクさせ、フロントカバー２２の開動作によりインク供給チューブ６７またはヘッド信号線６８を引き寄せるので、インク供給チューブ６７またはヘッド信号線６８が邪魔にならず、これにより、ユーザーの除去作業を行うことのできる領域を広げることができる。
【００６６】
また、ロッド７２、クリップ７３、およびホルダ７４は、フロントカバー２２の開放動作に連動してインク供給チューブ６７またはヘッド信号線６８を変形または移動させる。
【００６７】
さらに、ロッド７２は、その一端がフロントカバー２２に接続され、他端がキャリッジ６３の移動（インク供給チューブ６７またはヘッド信号線６８の変形）に応じてインク供給チューブ６７またはヘッド信号線６８を支持する部分が変位可能である。
【００６８】
インクを記録ヘッド６４に供給するためのインク供給チューブ６７は、可撓性部材の一例である。  
インクを吐出するための電気的な信号を伝送するためのヘッド信号線６８は、可撓性部材の一例である。
【００６９】
なお、キャリッジ６３の移動に応じて、ホルダ７４がフロントカバー２２の内側を左右に移動できるように、ホルダ７４をフロントカバー２２に装着するようにしても良い。これにより、ロッド７２の長さがインク供給チューブ６７またはヘッド信号線６８の変形・移動に追従できる長さでない場合（長さが足りない場合）であっても、インク供給チューブ６７またはヘッド信号線６８の変形・移動に追従して支持位置を適切に変位させることができる。
【００７０】
次に、図８〜図１１を参照して、ロッド７２、クリップ７３、およびホルダ７４の機能・作用についてより詳細に説明する。図８は、キャリッジ６３が本体１１の左側に位置し、フロントカバー２２が閉じられているプリンター複合機１のロッド７２、クリップ７３、およびホルダ７４を示す平面図である。図９は、キャリッジ６３が本体１１の左側に位置し、フロントカバー２２が閉じられているプリンター複合機１のロッド７２、クリップ７３、およびホルダ７４を示す斜視図である。
【００７１】
図１０は、キャリッジ６３が本体１１の左側に位置し、フロントカバー２２が開かれているプリンター複合機１のロッド７２、クリップ７３、およびホルダ７４を示す平面図である。図１１は、キャリッジ６３が本体１１の左側に位置し、フロントカバー２２が開かれているプリンター複合機１のロッド７２、クリップ７３、およびホルダ７４を示す斜視図である。
【００７２】
図８および図９に示されるように、ホルダ７４は、閉じられているフロントカバー２２の上側に装着され、ロッド７２の一端を保持している。すなわち、一対のヒンジ５１を結ぶ線からホルダ７４までの距離は、インク供給チューブ６７およびヘッド信号線６８を領域Ａから退避させるのに十分な長さ（少なくとも、キャリッジ６３が本体１１の左側に位置しているときのクリップ７３の位置から領域Ａの前側までのＹ軸方向の距離よりも長い長さ）とされる。
【００７３】
また、ロッド７２は、くの字状に形成されている。より詳細には、フロントカバー２２が閉じられている状態において、ホルダ７４に保持されている端部側のロッド７２の直線的な部分は、本体１１の内部に向かって、斜め下に向かうように配置される。
【００７４】
また、クリップ７３と接続されている端部側のロッド７２の直線的な部分は、本体１１の内部において、クリップ７３(すなわち、インク供給チューブ６７およびヘッド信号線６８の支持位置)から略上方向に向かうように配置される。
【００７５】
尚、クリップ７３は、インク供給チューブ６７およびヘッド信号線６８がクリップ７３に対して動かない様に、確実にインク供給チューブ６７およびヘッド信号線６８を保持することが好ましい。本実施形態では、その様に構成されているが、場合により、インク供給チューブ６７およびヘッド信号線６８がクリップ７３に対して或る程度動くように、クリップ７３がインク供給チューブ６７およびヘッド信号線６８を緩やかに保持する様にすることもできる。
【００７６】
この場合、ロッド７２をくの字状に形成することにより、クリップ７３を上から吊ることになり、クリップ７３とインク供給チューブ６７およびヘッド信号線６８との間の摩擦力が小さくなるので、インク供給チューブ６７およびヘッド信号線６８に対して、より少ない力でクリップ７３をスライドできるようになる。従って、インク供給チューブ６７およびヘッド信号線６８の変形を阻害せず、記録を行う際のキャリッジ６３の移動に影響を与えることがなく、確実に記録が行われるようになる。
【００７７】
図８および図９に示されるように、領域Ａは、３次元的な広がりを有する領域である。キャリッジ６３が本体１１の左側に位置している場合、フロントカバー２２が閉じられている状態において、インク供給チューブ６７およびヘッド信号線６８の部分のうち、クリップ７３に保持されているコネクタ６９側の部分がクリップ７３と共に領域Ａに入る。
【００７８】
図１０および図１１に示されるように、フロントカバー２２が開かれると、一対のヒンジ５１を結ぶ線からホルダ７４までの距離だけ、ホルダ７４が前側に移動することになる。ホルダ７４の移動に応じて、ロッド７２がクリップ７３と共に前側に移動し、クリップ７３は、領域Ａの外に出ることになる。
【００７９】
従って、インク供給チューブ６７およびヘッド信号線６８の部分のうち、クリップ７３に保持されているコネクタ６９側の部分が、領域Ａの外に出る。すなわち、ロッド７２、クリップ７３、およびホルダ７４は、領域Ａから退避する方向にインク供給チューブ６７およびヘッド信号線６８を変形または移動させる。
【００８０】
このように、送り経路形成部２７によって、用紙Ｐが送られる送り経路が形成され、搬送部２６によって、送り経路の送り方向に用紙Ｐが搬送され、送り経路を送り方向に搬送されている用紙Ｐの部分のうち、送り経路形成部２７から露出している部分である露出部分にインクを吐出して記録する記録ヘッド６４が設けられているキャリッジ６３が、用紙Ｐの送り方向に直交する方向に移動し、インク供給チューブ６７またはヘッド信号線６８がキャリッジ６３から延出してキャリッジ６３の移動に追従して変形し、ロッド７２、クリップ７３、およびホルダ７４が、送り経路において用紙Ｐが詰まった場合、露出部分から取り出すことで詰まった用紙Ｐを送り経路から除去するための作業が行われる領域Ａから退避する方向にインク供給チューブ６７またはヘッド信号線６８を変形または移動させる。
【００８１】
従って、紙詰まり等のエラーによりキャリッジ６３が左側付近で停止したとき、除去作業が行われる領域Ａをインク供給チューブ６７またはヘッド信号線６８が遮ってしまうことを防ぎ、操作エリアを広く確保することができるため操作性が改善される。
【００８２】
また、ユーザーがフロントカバー２２を開いて本体１１に手を入れて領域Ａへアクセスした際、ユーザーの手や衣服がインク供給チューブ６７またはヘッド信号線６８に触れることを防止することができる。その結果、ユーザーの手や衣服が、例えば、インク供給チューブ６７に付着したインクミストによって汚れる虞がない。また、インク供給チューブ６７またはヘッド信号線６８が破損する虞や、インク供給チューブ６７またはヘッド信号線６８がキャリッジ６３から引き抜かれてしまう虞がない。
【００８３】
以上のように、インク供給チューブ６７またはヘッド信号線６８が領域Ａから退避する方向に変形または移動させられるので、ユーザーは、インク供給チューブ６７またはヘッド信号線６８に邪魔されずに、領域Ａで作業をすることができ、容易に詰まった用紙Ｐを取り除くことができる。
【００８４】
なお、キャリッジ６３が左側に停止しているときにロッド７２、クリップ７３、およびホルダ７４が効果的である旨を説明したが、停止している位置は、左側に限らない。何らかの原因でインク供給チューブ６７またはヘッド信号線６８が領域Ａに係るようにキャリッジ６３が移動可能な範囲にいずれかの位置に停止した場合であっても、ロッド７２、クリップ７３、およびホルダ７４が、領域Ａから退避する方向にインク供給チューブ６７またはヘッド信号線６８を変形または移動させることができる。
【００８５】
また、ロッド７２の一端に設けられたクリップ７３でインク供給チューブ６７またはヘッド信号線６８を保持し、ロッド７２の他端のホルダ７４を固定とするため、インク供給チューブ６７またはヘッド信号線６８の垂れを防止する機能を持たせることも出来る。
【００８６】
なお、ロッド７２は、金属または樹脂などにより棒状に形成されていると説明したが、紐や帯としても良く、またはバネ若しくはゴム紐などの弾性体から形成しても良い。
【００８７】
また、可撓性部材の一例として、樹脂製のチューブなどで形成されるインク供給チューブ６７または電線からなる配線ケーブルまたはワイヤーハーネスなどのヘッド信号線６８を挙げたが、線形の可撓性の部材であれば良く、例えば、金属製のフレキシブルケーブルや電源を伝達する動力線、または光ファイバなどであっても良い。
【００８８】
さらに、ロッド７２、クリップ７３、およびホルダ７４を、フロントカバー２２の開放動作に連動してインク供給チューブ６７またはヘッド信号線６８を変形または移動させると説明したが、これに限らず、カセット５６を本体１１から引き出した場合にその引き出しの動作に連動してインク供給チューブ６７またはヘッド信号線６８を変形または移動させるようにしてもよい。
【００８９】
なお、プリンター複合機１は、印刷装置、複写機、およびファクシミリ装置の機能を有すると説明したが、印刷装置、複写機、またはファクシミリ装置その他の装置である記録装置であってもよい。
【００９０】
尚、領域Ａ（ユーザー作業領域）は、必ずしもその領域が明確に定まるものとは限らず、また記録装置の構成要素の配置に応じて変化するものであり、専ら、何らかの理由によって装置内部に滞留している用紙を取り除く作業を行う際にユーザーの手が入る可能性のある領域である。上述した実施例における領域Ａは、その一例を示すものである。  
また領域Ａは、フレーム３１の上流側或いは下流側の様に、必ずしも経路が露呈している部分の上方領域のみならず、装置内部において用紙が滞留する可能性のある領域であったり、或いはその様な領域をも含むものである。
【００９１】
また、領域Ａは、上記実施形態では装置内部に滞留している用紙を取り除く作業を行う際にユーザーの手が差し入れられる可能性のある領域であるが、装置内部に手を差し入れて行う作業には用紙除去作業以外にも、例えばインクカートリッジの交換作業や、可動部への潤滑剤供給作業、摩耗部品の交換作業、など種々のものがある。従って領域Ａは、ユーザー作業の内容と装置構成に応じて設定されるものであり、上記実施例には限られない。
【００９２】
そして、インク供給チューブ６７が占有する空間（図４において実線で示されるインク供給チューブ６７が占有する空間）から、インク供給チューブ６７が退避する方向にインク供給チューブ６７を移動させる退避手段を備えることにより、当該インク供給チューブ６７がユーザー作業の妨げにならず、またユーザーの手がインク供給チューブ６７に触れることを防止できる。その際のインク供給チューブ６７の退避方向は、上記実施形態の様に装置手前側とは限られず、装置奥側として設定される場合もあり、或いは上方向、下方向に設定される場合もある。
【００９３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９４】
１  プリンター複合機、１１  本体、１２  媒体搬送部、２１  ケース、２２  フロントカバー、２３  スキャナー、２４  操作部、２５  載置部、２６  搬送部、２７  送り経路形成部、２８  反転経路形成部、２９  記録部、３０  排出部、３１  フレーム、３２  スタッカー、３３  載置部、３４  スタッカー、５１  ヒンジ、５２  表示部、５３  ボタン、５４  ペーパーサポート、５５  ホッパー、５６  カセット、５７  ローラー、５８  ローラー、５９  ローラー、６０  アーム、６１  ローラー対、６２  ローラー対、６３  キャリッジ、６４  記録ヘッド、６５  媒体支持部、６６  インクカートリッジ、６７  インク供給チューブ、６８  ヘッド信号線、６９  コネクタ、７０  コネクタ、７１  コネクタ、７２  ロッド、７３  クリップ、７４  ホルダ
【図１】
0005874902.tif 000002
【図２】
0005874902.tif 000003
【図３】
0005874902.tif 000004
【図４】
0005874902.tif 000005
【図５】
0005874902.tif 000006
【図６】
0005874902.tif 000007
【図７】
0005874902.tif 000008
【図８】
0005874902.tif 000009
【図９】
0005874902.tif 000010
【図１０】
0005874902.tif 000011
【図１１】
0005874902.tif 000012